(57)【要約】【課題】  ウォークインレバーの操作によってショルダーベルトをワンタッチで簡単に取り外すことができるウォークインシートのシートベルトガイド構造の提供を図る。【解決手段】  ショルダーベルト４ａを挿通案内するベルトガイド部１３を、ウォークインシート１のシートバック３に回動可能に取付けたベルト保持部材１１に設け、このベルト保持部材１１に、その回動によりウォークイン機構を作動するウォークインリリースケーブル１２を連結する。ベルトガイド部１３は、ベルト保持部材１１の回動により、挿通保持したショルダーベルト４ａを外方に離脱案内できるように片側に開放口１６ａを形成したベルト受け部１６を有し、ベルト保持部材１１の回動でウォークイン機構の作動とショルダーベルト４ａの離脱とを同時に行わせて、ショルダーベルト４ａの取り外しをワンタッチで簡単に行うことができる。【選択図】      図２
2006219028.tif 000002
【特許請求の範囲】
【請求項１】
シートバックを前倒しすることによりシートの前後位置調節を可能としたウォークイン機構を備えるとともに、乗員の片側肩部から他側腰部に亘って斜めに乗員を拘束するショルダーベルトを備えた３点式シートベルト装置が付設され、前記シートバックの前記ショルダーベルトが配置される側の上部若しくは側面部に、そのショルダーベルトを挿通案内するシートベルトガイドを設けたウォークインシートにおいて、
前記シートベルトガイドは、シートバックに片側が回動可能に取付けられたベルト保持部材を備え、該ベルト保持部材には、その回動によりウォークイン機構を作動するウォークインリリースケーブルを連結するとともに、ベルト保持部材を回動することにより該ベルト保持部材に挿通保持したショルダーベルトを外方に離脱案内するベルトガイド部を形成したことを特徴とするウォークインシートのシートベルトガイド構造。
【請求項２】
ベルトガイド部は、ベルト保持部材の回動支点側が開放し、その開放口から回動支点と反対側に向けてシートバックに対する取付け面から離れる方向に傾斜する切欠き状のベルト受け部と、
前記ベルト受け部の開放口側からそのベルト受け部の傾斜方向に対して逆方向に向けて連続して隆起して、内側面に沿ってショルダーベルトを挿通方向に滑り案内し、該ショルダーベルトが前記ベルト受け部から離脱するのを抑制する隆起部と、を備えたことを特徴とする請求項１に記載のウォークインシートのシートベルトガイド構造。
【請求項３】
ベルト受け部は、その隆起部側端部に、ベルト受け部の傾斜方向に対して逆方向に向けて傾斜して、内側面に沿ってショルダーベルトを挿通方向に滑り案内する一方、ベルト保持部を回動した状態では、内側面に沿ってショルダーベルトを離脱方向に滑り案内する補助ガイド部を有することを特徴とする請求項２に記載のウォークインシートのシートベルトガイド構造。
【請求項４】
ベルト保持部材に、その回動時に指を掛けて該ベルト保持部材を回動操作する指掛かり部を形成したことを特徴とする請求項１〜３のいずれか１つに記載のウォークインシートのシートベルトガイド構造。
【請求項５】
ベルト保持部材に、その回動時に手で握持して該ベルト保持部材を回動操作しつつシートバックを前倒し操作する握持部を形成したことを特徴とする請求項１〜３のいずれか１つに記載のウォークインシートのシートベルトガイド構造。
【請求項６】
隆起部は、ベルト保持部材と別体に形成され、該ベルト保持部材にベルト受け部方向に倒れ込み可能に回動自在に取付けられるとともに該隆起部をイニシャル位置に復帰させる回動付勢部材を有し、かつ、該隆起部の外側面を隆起部の倒れ込み回動状態でショルダーベルトが外側からベルト受け部に滑り込み進入可能な形状としたことを特徴とする請求項２〜５のいずれか１つに記載のウォークインシートのシートベルトガイド構造。
【発明の詳細な説明】
【技術分野】
【０００１】
本発明は、ウォークインシートのシートバックに設けられて、ショルダーベルトを挿通案内するシートベルトガイドに関する。
【背景技術】
【０００２】
ウォークインシートは２ドア型車の前席に装備されて、後席乗員の乗降性を向上するためにシートバックが前倒し可能となっており、シートバックの側面に設けたウォークインレバーを操作してシートバックを前倒しすることによりシートの前後位置を調節するウォークイン機構が作動される。
【０００３】
前記ウォークインシートには、片側の乗員肩部から乗員腰部の他側に亘って斜めに乗員を拘束するショルダーベルトを備えた３点式シートベルト装置が付設されているが、前記ウォークインレバー部分にこのウォークインレバーと閉空間を構成する補助部材を設けて、その閉空間をシートベルトガイドとしてショルダーベルトを挿通することにより、ショルダーベルトによる乗員拘束性を高めるようにしている（例えば、特許文献１参照）。
【０００４】
このシートベルトガイドは、ウォークインレバーを操作した際に、このレバーと補助部材とで構成される閉空間が開き、その開いた部分からショルダーベルトを外すことにより、ショルダーベルトが後席乗員の乗降を妨げるのを避けるようになっている。
【特許文献１】実公平７−２１４１７号公報（第２頁、第２図）
【発明の開示】
【発明が解決しようとする課題】
【０００５】
しかしながら、かかる従来のウォークインシートのシートベルトガイド構造は、ウォークインレバーを操作して閉空間を開いてショルダーベルトを手で取り外す必要があり、ショルダーベルトの取り外しに手間が掛かってしまう。
【０００６】
そこで、本発明はウォークインレバーの操作によってショルダーベルトをワンタッチで簡単に取り外すことができるウォークインシートのシートベルトガイド構造を提供するものである。
【課題を解決するための手段】
【０００７】
本発明にあっては、シートバックを前倒しすることによりシートの前後位置調節を可能としたウォークイン機構を備えるとともに、片側の乗員肩部から乗員腰部の他側に亘って斜めに乗員を拘束するショルダーベルトを備えた３点式シートベルト装置が付設され、前記シートバックの前記ショルダーベルトが配置される側の上部若しくは側面部に、そのショルダーベルトを挿通案内するシートベルトガイドを設けたウォークインシートにおいて、前記シートベルトガイドは、シートバックに片側が回動可能に取付けられたベルト保持部材を備え、該ベルト保持部材には、その回動によりウォークイン機構を作動するウォークインリリースケーブルを連結するとともに、ベルト保持部材を回動することにより該ベルト保持部材に挿通保持したショルダーベルトを外方に離脱案内するベルトガイド部を形成したことを最も主要な特徴とする。
【発明の効果】
【０００８】
本発明によれば、ショルダーベルトは、シートバックに片側を回動可能に取付けたベルト保持部材のベルトガイド部に挿通して乗員の上半身の拘束を適正に行う。そして後席乗員の乗降時にシートバックを前倒しする際には、ウォークインリリースケーブルを連結した前記ベルト保持部材を回動する。
【０００９】
このベルト保持部材の回動により前記ショルダーベルトはベルトガイド部によって外方に離脱案内されるため、ベルト保持部材の回動でウォークイン機構の作動とショルダーベルトの離脱とを同時に行うことができ、ショルダーベルトの取り外しをワンタッチで簡単に行うことができる。
【発明を実施するための最良の形態】
【００１０】
以下、本発明の実施形態を図面と共に詳述する。
【００１１】
図１〜図３は本発明にかかるウォークインシートのシートベルトガイド構造の第１実施形態を示し、図１は３点式シートベルト装置を付設したウォークインシートの全体斜視図、図２はシートベルトガイド部分を示す拡大正面図、図３はシートベルトガイドの作動状態を示す拡大正面図である。
【００１２】
本実施形態のシートベルトガイド構造が適用されるウォークインシート１は、図１に示すように通常のシートと同様にシートクッション２およびシートバック３を備え、シートクッション２は図外のシートスライド機構によって前後位置が調整可能となっており、また、シートバック３は図外のリクライニング機構によって前後角度が調整可能となっていて、シートバック３を前倒しすることによってシートの前後位置を調節するウォークイン機構を備える。
【００１３】
前記ウォークインシート１には、ショルダーベルト４ａおよびラップベルト４ｂを備えた３点式シートベルト装置４が付設され、このシートベルト４によってウォークインシート１に着座した乗員を拘束するようになっている。
【００１４】
ショルダーベルト４ａはシート１に着座した乗員の片側肩部から他側腰部に亘って斜めに乗員を拘束し、また、ラップベルト４ｂは乗員の腰部を左右に拘束する。ショルダーベルト４ａの上端部はスルーアンカ５を介してピラー上部に支持されるとともに、スルーアンカ５で折り返したショルダーベルト４ｃの端部はピラー下部に収納されるリトラクタ６に巻き取られる。
【００１５】
また、ラップベルト４ｂの端部はアンカ５ａを介してフロアパネル側に固定されるとともに、ショルダーベルト４ａとラップベルト４ｂとの間に挿通したタング５ｂはフロアパネル側に固定した図外のインナーバックルに係脱可能に装着される。
【００１６】
従って、前記ショルダーベルト４ａは、前記インナーバックルからシートバック３の車幅方向片側を通ってスルーアンカ５に配索されることになり、そのシートバック３のショルダーベルト４ａが配置される側の上部に、ショルダーベルト４ａを挿通案内するシートベルトガイド１０を設けて着座者を適正に拘束し得るようにしてある。
【００１７】
シートベルトガイド１０は、シートバック３に片側を回動可能に取付けたベルト保持部材１１を備え、該ベルト保持部材１１には、その回動によりウォークインシート１のウォークイン機構を作動するウォークインリリースケーブル１２を連結するとともに、ベルト保持部材１１を回動することにより該ベルト保持部材１１に挿通保持したショルダーベルト４ａを外方に離脱案内するベルトガイド部１３を形成してある。
【００１８】
即ち、前記ベルト保持部材１１は、シートバック３の片側上面に固定したベース部材１４の車幅方向片側（本実施形態ではシートバック３の外方側）に、回動支点となるピン１５を介して回動自在に取付けてある。
【００１９】
前記ピン１５はその中心軸が車両前後方向に配置されており、このピン１５を中心として前記ベルト保持部材１１が上方に回動される。
【００２０】
ウォークインリリースケーブル１２は、インナワイヤ１２ａとアウタチューブ１２ｂとからなり、アウタチューブ１２ｂの端部をシートバックフレーム３ａ側に固定するとともに、そのアウタチューブ１２ｂから突出するインナチューブ１２ａの端部を前記ベルト保持部材１１の前記ピン１５と反対側の端部下面に設けた締結部１１ａに掛止してある。
【００２１】
そして、図３に示すようにベルト保持部材１１をピン１５を中心に上方に回動することにより、前記ウォークインリリースケーブル１２のインナワイヤ１２ａが上方に引っ張られて前記ウォークイン機構を作動し、シートバック３の前倒しが可能となる。
【００２２】
尚、ウォークイン機構の作動時には、シートバック３の前倒しと同時にシートクッション２を車両前方にスライド可能とする機能を併用することができる。
【００２３】
前記ベルトガイド部１３は、ベルト保持部材１１のピン１５側（図２中右側）が開放し、その開放口１６ａからピン１５と反対側（図２中左方）がシートバック３に対する取付け面から離れる方向（図２中上方）に傾斜する切欠き状のベルト受け部１６と、このベルト受け部１６の開放口１６ａ側からそのベルト受け部１６の傾斜方向に対して逆方向に向けて連続して隆起し、ベルト保持部材１１を回動しない状態（図２参照）では内側面１７ａに沿ってショルダーベルト４ａを挿入方向に滑り案内し、該ショルダーベルト４ａがベルト受け部１ｂから離脱するのを抑制する隆起部１７と、を備えている。
【００２４】
従って、前記ベルト受け部１６にショルダーベルト４ａが挿通されることにより、ショルダーベルト４ａをベルトガイド部１３とタング５ｂとで支持して、乗員をシートバック３に適正に拘束できる。
【００２５】
また、前記ベルト保持部材１１には、その回動時に指を掛けてそのベルト保持部材１１を回動操作する指掛かり部１８を形成してある。
【００２６】
即ち、前記指掛かり部１８は、ベルト保持部材１１の回動操作側、つまり、車幅方向でそのベルト保持部材１１をベース部材１４に枢着したピン１５とは反対方向側縁の上部に形成されて、細かい凹凸部を複数形成して滑り止め機能を備えている。
【００２７】
以上の構成により本実施形態のシートベルト構造によれば、ベルト保持部材１１のベルト受け部１６にショルダーベルト４ａを挿通しておくことにより、ショルダーベルト４ａによって乗員の上半身の拘束を適正に行うことができ、そして、このようにベルト保持部材１１にショルダーベルト４ａを挿通した状態で後席乗員が乗降する際には、シートバック３を前倒しするために、図３に示すようにベルト保持部材１１をピン１５まわりに上方に回動すると、ウォークインリリースケーブル１２のインナワイヤ１２ａが引っ張られてウォークイン機構が作動し、シートバック３の前倒しが可能となる。
【００２８】
そして、前記ベルト保持部材１１を回動すると、ショルダーベルト４ａを挿通したベルトガイド部１３は略上下方向に配置されて、ショルダーベルト４ａが下方に引き下ろされる。
【００２９】
このとき、隆起部１７の内側面１７ａはベルト保持部材１１の回動によって略水平方向に配置され、前記ショルダーベルト４ａは開放口１６ａに案内されて外方に離脱され、ショルダーベルト４ａはシートベルトガイド１０から外れて、スルーアンカ５に引っ張られるように上方に持ち上がる。
【００３０】
従って、ウォークイン機能によりシートバック３が前倒しになるとともに、シートクッション２が前方に移動され、かつ、ショルダーベルト４ａが上方に持ち上がることにより、後席乗員の乗降が容易になる。
【００３１】
このように本実施形態にあっては、前記ベルト保持部材１１の回動により、ウォークイン機構の作動とショルダーベルト４ａの離脱とを同時に行うことができるため、ショルダーベルト４ａの取り外しをワンタッチで簡単に行うことができる。
【００３２】
また、本実施形態のシートベルトガイド構造は前記作用効果に加えて、ベルトガイド部１３を、ベルト保持部材１１のピン１５側が開放し、その開放口１６ａからピン１５と反対側がシートバック３に対する取付け面から離れる方向に傾斜する切欠き状のベルト受け部１６と、このベルト受け部１６の開放口１６ａ側からそのベルト受け部１６の傾斜方向に対して逆方向に向けて連続して隆起し、内側面１７ａに沿ってショルダーベルト４ａを挿通方向に滑り案内し、該ショルダーベルト４ａがベルト受け部１ｂから離脱するのを抑制する隆起部１７と、によって構成したので、ベルト受け部１６および隆起部１７の内側面１７ａの形状により、通常の３点式シートベルト装置４の装着状態ではベルト受け部１６によってショルダーベルト４ａを確実に保持し、ウォークイン機構を作動するためにベルト保持部材１１を回動した際には、ショルダーベルト４ａの円滑な離脱を容易に行わせることができる。
【００３３】
更に、前記ベルト保持部材１１には、その回動時に指を掛けてそのベルト保持部材１１を回動操作する指掛かり部１８を形成したので、ベルト保持部材１１を回動操作する際に前記指掛かり部１８に指を掛けてベルト保持部材１１をシートバック３の車幅方向外方に押すことにより、そのベルト保持部材１１を容易に上方に回動させて一連のウォークイン機能とショルダーベルト４ａの離脱動作を容易に行うことができる。
【００３４】
図４，図５は本発明の第２実施形態を示し、前記第１実施形態と同一構成部分に同一符号を付して重複する説明を省略して述べるものとし、図４はシートベルトガイド部分を示す拡大正面図、図５はシートベルトガイド部分を示す拡大側面図である。
【００３５】
本実施形態のシートベルトガイド構造は、図４，図５に示すように基本的に第１実施形態と同様の構成となり、シートベルトガイド１０Ａは、シートバック３の片側上部に固定したベース部１４にベルト保持部材１１をピン１５を介して回動可能に取付けてあり、そのベルト保持部材１１にはウォークインリリースケーブル１２（図２参照）を連結するとともに、ベルトガイド部１３を形成して前記ショルダーベルト４ａを挿通してある。
【００３６】
そして、本実施形態では前記ベルト保持部材１１に、その回動時に手で握持してそのベルト保持部材１１を回動操作しつつシートバック３を前倒し操作する握持部１９を形成してある。
【００３７】
即ち、前記握持部１９は、第１実施形態の指掛かり部１８を設けた部位と略同様に、ベルト保持部材１１の回動操作側の側縁上部を上方に延長して形成してあり、その握持部１９は握持し易いようにガングリップ形状として形成してある。
【００３８】
従って、本実施形態によれば後席乗員が乗降する際に、ベルト保持部材１１に設けた握持部１９を握持してシートバック３の車幅方向外方に押すことにより、ベルト保持部材１１はピン１５を中心として上方に回動し、第１実施形態と同様にウォークイン機構を作動してシートバック３の前倒しとシート１の前方移動が可能となるとともに、ショルダーベルト４ａがベルトガイド部１３から外方に離脱される。
【００３９】
勿論、本実施形態にあってもベルトガイド部１３は、ベルト保持部材１１の回動支点となるピン１５側が開放し、その開放口１６ａからピン１５と反対側がシートバック３に対する取付け面から離れる上方に傾斜する切欠き状のベルト受け部１６と、このベルト受け部１６の開放口１６ａ側からそのベルト受け部１６の傾斜方向に対して逆方向に連続して隆起し、内側面１７ａに沿ってショルダーベルト４ａを挿通方向に滑り案内する隆起部１７と、によって構成してある。
【００４０】
このように、本実施形態ではベルト保持部材１１に握持部１９を形成したので、その握持部１９をしっかりと握持できるため、ベルト保持部材１１の回動操作が容易になるとともに、前記握持部１９を握持した状態で車両前方に押圧力を付加することによりシートバック３の前倒しが可能となり、一連のウォークイン操作を片手で行うことが可能となって操作性を向上することができる。
【００４１】
図６，図７は本発明の第３実施形態を示し、前記第１実施形態と同一構成部分に同一符号を付して重複する説明を省略して述べるものとし、図６はシートベルトガイド部分を示す拡大正面図、図７はシートベルトガイドの斜視図である。
【００４２】
本実施形態のシートベルトガイド構造は、図６に示すように基本的に第１実施形態と同様の構成となり、シートベルトガイド１０Ｂは、ベース部１４にピン１５を介してベルト保持部材１１Ｘを回動可能に取付け、そのベルト保持部材１１Ｘにウォークインリリースケーブル１２（図２参照）を連結するとともに、ショルダーベルト４ａを挿通するベルトガイド部１３Ｘを形成してある。
【００４３】
また、ベルトガイド部１３Ｘは、ベルト保持部材１１Ｘの回動支点となるピン１５側が開放し、その開放口１６ａからピン１５と反対側がシートバック３に対する取付け面から離れる方向、即ち上方に傾斜する一方、ピン１５側の端部に、シートバック３に対する取付け面から離れる方向に僅かに傾斜し内側面１６ｄに沿ってショルダーベルト４ａを挿通方向に滑り案内する一方、ベルト保持部材１１Ｘの回動状態で内側面１６ｄに沿ってショルダーベルト４ａを離脱方向に滑り案内する補助ガイド部１６ｂを有する切欠き状のベルト受け部１６Ｘと、このベルト受け部１６Ｘの開放口１６ａ側からそのベルト受け部１６Ｘの傾斜方向に対して逆方向に連続して隆起し、内側面１７ａに沿ってショルダーベルト４ａを挿通方向に滑り案内し、該ショルダーベルト４ａがベルト受け部１６から離脱するのを抑制する隆起部１７Ｘと、によって構成してある。
【００４４】
ここで、本実施形態では前記隆起部１７Ｘを、ベルト保持部材１１Ｘとは別体に形成して、該ベルト保持部材１１Ｘにベルト受け部１６Ｘ方向に倒れ込み可能に回動自在に取付けるとともにベース部１４に該隆起部１７Ｘをイニシャル位置に復帰させる回動付勢部材２０を設け、かつ、該隆起部１７Ｘの外側面１７ｂを隆起部１７Ｘの倒れ込み回動状態でショルダーベルト４ａが外側からベルト受け部１６Ｘに滑り込み進入可能な形状としてある。
【００４５】
即ち、上記隆起部１７Ｘはベルト保持部材１１Ｘとは独立して、内側面１７ａと外側面１７ｂとが隣接する両辺となる略三角形状に形成して、図７に示すようにその隆起部１７Ｘの下部をベルト保持部材１１Ｘに形成した切欠部１１ａに嵌合して、その嵌合部分を前記ピン１５によって回動自在に連結してある。
【００４６】
そして、前記隆起部１７Ｘはピン１５周りに配置した回動付勢部材としてのスプリング２０を介して図中時計回り方向に付勢してあるとともに、隆起部１７Ｘの下部に形成した係合部１７ｃをベルト保持部材１１Ｘに形成したストッパー２１に係止させることにより、図６に示すイニシャル位置を保持するようにしてある。
【００４７】
従って、本実施形態によれば、シートベルトガイド１０Ｂから離脱したショルダーベルト４ａを、シートベルトガイド１０Ｂのベルト受け部１６Ｘに挿入する際に、図６に示すように下方から隆起部１７Ｘの外側面１７ｂに位置させると、ショルダーベルト４ａの引張り力で隆起部１７Ｘがスプリング２０の付勢力に抗してベルト受け部１６Ｘ方向に倒れ込む。
【００４８】
すると、隆起部１７Ｘの外側面１７ｂがなだらかにベルト受け部１６Ｘに連続するとともに、ベルト受け部１６Ｘの補助ガイド部１６ｂによって挿通方向に滑り案内されるため、前記ショルダーベルト４ａはこの外側面１７ｂからベルト受け部１６Ｘに滑り入り込む。
【００４９】
そして、ショルダーベルト４ａがベルト受け部１６Ｘに位置すると、隆起部１７Ｘはスプリング２０の付勢力で図６に示す元のイニシャル位置に回動復帰する。
【００５０】
また、前記ベルト保持部材１１Ｘを回動すると、ショルダーベルト４ａを挿通したベルトガイド部１３Ｘは略上下方向に配置されて、ショルダーベルト４ａが下方に引き下ろされる。
【００５１】
このとき、ベルト受け部１６Ｘの補助ガイド部１６ｂはベルト保持部材１３Ｘの回動によって略水平方向に配置されて補助ガイド部１６ｂが外方に斜め下向きとなり、前記ショルダーベルト４ａは補助ガイド部１６ｂに沿って外方に離脱され、ショルダーベルト４ａはシートベルトガイド１０Ｂから外れる。スルーアンカ５に引っ張られるように上方に持ち上がる。
【００５２】
従って、本実施形態によれば隆起部１７Ｘが倒れ込むとともにベルト受け部１６の補助ガイド部１６ｂがショルダーベルト４ａを挿通方向に滑り案内することにより、ショルダーベルト４ａをベルト受け部１６Ｘに位置させるのが容易になり、ショルダーベルト４ａのシートベルトガイド１０Ｂへの挿入がより簡単になる。
【００５３】
さらに、ベルト保持部材１１Ｘの回動状態では、ベルト受け部１６の補助ガイド部１６ｂがショルダーベルト４ａを離脱方向に滑り案内することにより、ショルダーベルト４ａをベルト受け部１６Ｘの開放口１６ａに案内され易くなり、ショルダーベルト４ａのシートベルトガイド１０Ｂからの離脱がよりスムーズになる。
【００５４】
ところで、本発明は前記第１〜第３実施形態に例をとって説明したが、これら実施形態に限ることなく本発明の要旨を逸脱しない範囲で他の実施形態を各種採用することができ、例えば、シートベルトガイド１０，１０Ａ，１０Ｂはシートバック３の上部に限ることなく側面部に設けることができる。
【図面の簡単な説明】
【００５５】
【図１】本発明に適用される３点式シートベルト装置を付設したウォークインシートの全体斜視図である。
【図２】本発明の第１実施形態におけるシートベルトガイド部分を示す拡大正面図である。
【図３】本発明の第１実施形態におけるシートベルトガイドの作動状態を示す拡大正面図である。
【図４】本発明の第２実施形態におけるシートベルトガイド部分を示す拡大正面図である。
【図５】本発明の第２実施形態におけるシートベルトガイド部分を示す拡大側面図である。
【図６】本発明の第３実施形態におけるシートベルトガイド部分を示す拡大正面図である。
【図７】本発明の第３実施形態にけるシートベルトガイド部分の斜視図である。
【符号の説明】
【００５６】
１  ウォークインシート
３  シートバック
４  ３点式シートベルト装置
４ａ  ショルダーベルト
１０，１０Ａ，１０Ｂ  シートベルトガイド
１１  ベルト保持部材
１２  ウォークインリリースケーブル
１３  ベルトガイド部
１５  ピン（回動支点）
１６  ベルト受け部
１６ａ  開放口
１６ｂ  補助ガイド部
１７，１７Ｘ  隆起部
１７ａ  内側面
１７ｂ  外側面
１８  指掛かり部
１９  握持部
【図１】
2006219028.tif 000003
【図２】
2006219028.tif 000004
【図３】
2006219028.tif 000005
【図４】
2006219028.tif 000006
【図５】
2006219028.tif 000007
【図６】
2006219028.tif 000008
【図７】
2006219028.tif 000009